(57)【要約】【課題】  複数の外部記憶媒体装着機構がある場合、外部記憶媒体の装着状況と外部記憶媒体内情報使用状況を画像選択情報とを一度に合わせて認識できる表示方法を提供する。【解決手段】  複数の外部媒体装着部が設置された印刷装置において、外部記憶媒体装着状況を外部記憶媒体装着部の並び順で表示する。また、表示処理をアクセス状況に連動さて表示させる。【選択図】  図１
2007276398.tif 000002
【特許請求の範囲】
【請求項１】
複数種類の記憶媒体を装着可能とするために、複数の記憶媒体装着部を有する印刷装置であって、
記憶媒体装着部に装着された記憶媒体に記憶されている画像を表示するための表示手段と、
前記複数の記憶媒体装着部への記憶媒体の装着状況を示す記憶媒体情報を、前記複数の記憶媒体装着部の並び順で配置して表示手段に表示させる表示制御手段を有することを特徴とする印刷装置。
【請求項２】
前記表示制御手段は、記憶媒体情報前記記憶媒体装着部へ装着された記憶媒体の種類を示すアイコンまたは記憶媒体の種類の通称または略称を前記記憶媒体情報として表示させることを特徴とする請求項１に記載の印刷装置。
【請求項３】
前記記憶媒体装着部に装着された記憶媒体にアクセスし、記憶媒体に記憶されている画像データを取得する取得手段を有し、
前記表示制御手段は、前記複数の記憶媒体装着部への記憶媒体の記憶媒体情報を表示させるとともに、前記取得手段による記憶媒体へのアクセス状況を表示させることを特徴とする請求項１または２に記載の印刷装置。
【請求項４】
前記表示制御手段は、前記取得手段がアクセスしている記憶媒体の記憶媒体情報と、アクセスしていない記憶媒体の記憶媒体情報を区別して表示することで、前記取得手段による記憶媒体へのアクセス状況を表示させることを特徴とする請求項３に記載の印刷装置。
【請求項５】
前記表示制御手段は、前記表示手段に表示されている画像が記憶されている記憶媒体の記憶媒体情報を、記憶媒体の記憶媒体情報と区別して表示させることを特徴とする請求項１ないし４のいずれか１項に記載の印刷装置。
【請求項６】
複数種類の記憶媒体を装着可能とするために、複数の記憶媒体装着部を有する印刷装置の制御方法であって、
前記複数の記憶媒体装着部への記憶媒体の装着状況を判定する判定工程と、
記憶媒体装着部に装着された記憶媒体に記憶されている画像を表示装置に表示するための表示工程と、
前記判定工程の判定結果に基づき、前記複数の記憶媒体装着部に対応する記憶媒体の装着状況を前記複数の記憶媒体装着部の並び順で前記表示装置に表示させる表示制御工程とを有することを特徴とする印刷装置の制御方法。
【発明の詳細な説明】
【技術分野】
【０００１】
本発明は、複数種類の記憶媒体を装着可能な印刷装置に関する。
【背景技術】
【０００２】
複数の外部記憶媒体が装着可能な画像再生装置では、記憶媒体のアクセス信号を利用してＬＥＤを点滅させることで、記憶媒体へのアクセス状況を表現するものがある（特許文献１参照）
また、選択された記憶媒体の種類に応じて装着された記憶媒体を示すアイコンを表示し、さらに、記憶媒体の種類に応じてアイコンの色や画面の背景色を変えて表示するものもある。（特許文献２参照）
【特許文献１】特開平７−７８０４３号公報
【特許文献２】特開２００４−２０６８１６号公報
【発明の開示】
【発明が解決しようとする課題】
【０００３】
しかしながら従来の画像再生装置では、画像を表示するための画像表示部と記憶媒体の装着状況を確認する記憶媒体表示部が分かれている。そのため、複数の記憶媒体が装着されている場合に、記憶媒体の種類を色や背景色で区別するだけでは、画像表示部に表示されている画像が複数装着されている記憶媒体の中のどの記憶媒体内のデータなのかを簡単に判断することが出来なかった。また、装着されている記憶媒体のうち、現在はどの記憶媒体にアクセスしているかを簡単に確認することができなかった。
【課題を解決するための手段】
【０００４】
このような課題を解決するため、本発明の印刷装置は次のような構成を備える。すなわち、
複数種類の記憶媒体を装着可能とするために、複数の記憶媒体装着部を有する印刷装置であって、記憶媒体装着部に装着された記憶媒体に記憶されている画像を表示するための表示手段と、複数の記憶媒体装着部への記憶媒体の装着状況を示す記憶媒体情報を表示手段に表示させる表示制御手段を有し、表示制御手段は、複数の記憶媒体装着部の並び順で記憶媒体情報を配置して表示手段に表示させることを特徴とする。
【発明の効果】
【０００５】
以上説明したように、本発明によれば、画像再生装置に設置されている複数の外部記憶媒体装着部の並び順で記憶媒体情報が配置し表示しているので、外部記憶媒体の装着状況および記憶媒体の種類をわかりやすく簡単に確認できる。また、表示された画像が記憶されている記憶媒体の記憶媒体情報を他の記憶媒体情報と区別して表示するため、複数の記憶媒体の中で現在表示されている画像がどの記憶媒体のものであるかが明確に認識できる。また、記憶媒体へのアクセス状況も表示するため、記憶媒体にアクセスしている最中にユーザにより記憶媒体が脱着され、記憶媒体内のデータを破壊してしまう危険性や、誤操作を防ぐことができる。
【発明を実施するための最良の形態】
【０００６】
（実施例１）
図２は、本実施例の印刷装置の概観図である。
【０００７】
印刷装置本体２には画像を表示するための表示部１、メモリカード等の外部記憶媒体を装着するための外部記憶媒体装着部３ａ，３ｂ，３ｃが設けられている。
【０００８】
図６は本実施例の印刷装置の基本的システム構成である。
【０００９】
図２と同じ機能、構成のものには同じ番号を付した。
【００１０】
１は表示部で、印刷装置本体２の外部記憶媒体装着部３ａ，３ｂ，３ｃに装着された記憶媒体に記憶されている画像を表示したり、外部記憶媒体の状況（外部記憶媒体装着部への外部記憶媒体装着状況や外部記憶媒体へのアクセス状況など）を表示したりする。
【００１１】
３ａ，３ｂ，３ｃは外部記憶媒体装着部であり、それぞれ外部記憶媒体が挿入される。
【００１２】
本実施例では、外部記憶媒体装着部３ａ，３ｂ，３ｃごとに装着可能な外部記憶媒体の種類が予め決まっていて、外部記憶媒体装着部３ａは記憶媒体１，外部記憶媒体装着部３ｂは記憶媒体２，外部記憶媒体装着部３ｃは記憶媒体３に対応した仕様になっている。
【００１３】
４は制御部で、印刷装置全体の制御を行う。また、制御部４は、表示制御部４ｂ、外部記憶媒体制御部４ａなどから構成される。さらに印刷装置は、画像データの圧縮伸張や色処理を施し、画像再生を行う画像再生部（不図示）、実際に画像の印刷を行う印刷部（不図示）、ユーザによる操作を入力するための操作入力部（不図示）などを有し、これらの各部は制御部４によって制御される。
【００１４】
また、制御部４は、不図示のプログラムメモリから制御プログラムを読み出し、読み出したプログラムに基づいて各部の制御を行う。
【００１５】
外部記憶媒体制御部４ａはカードスロット等の外部記憶媒体装着部３ａ，３ｂ，３ｃへの記憶媒体の着脱の検知や、装着された各外部記憶媒体にアクセスし、各外部記憶媒体からデータを取得するなどの通信制御を行う。
【００１６】
表示制御部４ｂは、画像データおよび外部記憶媒体状況を表示部１に表示するための制御を行う。
【００１７】
外部記憶媒体に記憶された画像を表示部１に表示するときには、該部記憶媒体制御部の制御により外部記憶媒体から画像データを読み出し、読み出した画像データを画像再生部（不図示）で再生し、再生された画像を表示制御部４ｂが表示部１に表示させる。
【００１８】
４ａの外部記憶媒体の装着判定については各外部記憶媒体の通信仕様に規定されたライン内信号から外部記憶媒体の装着を示す信号を検出することにより判定する。またはメカ機構として挿入を判定するスイッチ（不図示）を用いてもよい。
【００１９】
図１は、印刷装置本体２の外部記憶媒体装着部の並び順が図２に示す配置となっている場合の表示部１の表示例である。
【００２０】
外部記憶媒体から読み出された画像データは画像再生部で再生処理が施され、表示制御部の制御により画像表示部１ａに表示される。この画像表示部を用いて再生画像の確認や印刷部にて印刷する画像の選択などが行われる。１ｂ，１ｃ，１ｄにはそれぞれ外部記憶媒体装着部３ａ，３ｂ，３ｃへの外部記憶媒体の装着状況およびアクセス状況が表示される。１ｂには３ａ、１ｃには３ｂ、１ｄには３ｃの外部記憶媒体装着部への外部記憶媒体の装着状況およびアクセス状況が表示される。また、図９は、外部記憶媒体装着部が印刷装置本体２に図８のように配置されている場合の表示部の例である。３ａ，３ｂ，３ｃの並び順や配置にあわせて、記憶媒体情報表示部１ｂ，１ｃ，１ｄを配置してある。このように、印刷装置本体２における３ａ，３ｂ，３ｃの外部記憶媒体装着部の並び順にあわせて、それぞれの外部記憶媒体装着部に対応する装着状況およびアクセス状況の表示位置を設定している。そのためユーザは、どの外部記憶媒体装着部に外部記憶媒体が装着されているのかを一目で確認することができる。また、記憶媒体情報表示部１ｂ，１ｃ，１ｄには、それぞれの装着部の仕様に対応する外部記憶媒体の種類の略称，通称や外部記憶媒体の種類を示すアイコン等を表示させることで、外部記憶媒体装着部に装着されている外部記憶媒体の種類も簡単に確認できる。特に、３つ以上の外部記憶媒体装着部が印刷装置本体２に設置されているときに効果的である。
【００２１】
図３は本実施例の印刷装置２の表示部１への表示の一例を示す図である。
【００２２】
３ａ（記憶媒体１）および３ｂ（記憶媒体２）に外部記憶媒体が装着されていることを、１ｂと１ｃに記憶媒体の通称を表示することで装着状況を表現する。また、装着されていない３ｃの装着状況表示部である１ｄには記憶媒体の通称は非表示とする。そのため、現在印刷装置本体に装着されている外部記憶媒体の装着状況が認識できる。
【００２３】
また、画像表示部１ａに表示されている画像が外部記憶媒体３ａに装着された外部記憶媒体中に記憶されている画像である場合は、図３のように１ｂの記憶媒体の通称の色を変える。画像表示部１ａに表示されている画像が記憶されている外部記憶媒体の装着状況の表示の色を変えるて、画像表示部１ａに表示されている画像が、どこに装着されているどの外部記憶媒体内のデータであるかを明示的に表現できる。
【００２４】
更に、図４に示すように、本体に装着されている外部記憶媒体にアクセスしている場合、アクセス中の外部記憶媒体の背景の配色を変更する。このことにより、アクセス中の着脱行為による外部記憶媒体内のデータ破壊を予防を促すことが可能となる。背景の色を変えずに、点滅することでアクセス中であることを表してもよい。
【００２５】
特に、１ａに表示されている画像が記憶されている外部記憶媒体と、記憶媒体制御部がアクセスしている外部記憶媒体が異なる場合は、ユーザはきづかずにアクセス中に外部記憶媒体を着脱してしまうの恐れが高くなる。そのため、外部記憶媒体内のデータ破壊を予防として効果的である。また、１ａに表示されている画像が記憶されている外部記憶媒体と、記憶媒体制御部がアクセスしている外部記憶媒体が異なる場合には、さらにアクセス中であることを強調してアクセス中の記憶媒体の通称を大きくして表示するなどしてもよい。
【００２６】
図７に本実施例の表示部１への表示制御の基本シーケンスを示す。この制御は、制御部４または表示制御部により行われる。
【００２７】
電源スイッチ（不図示）等でユーザにより印刷装置本体２の電源が投入されると（１０１）、外部記憶媒体制御部４ａは外部記憶媒体装着部３ａ，３ｂ，３ｃのどの装着部に外部記憶媒体が装着されているのか、記憶媒体装着状況を判定する。（１０２）
４ａで判定された結果を元に、表示制御部４ｂは表示部１の１ｂ、１ｃ、１ｄに記憶媒体装着状況を装着として表示する（１０３）
このとき、３ａ，３ｂ，３ｃすべての外部記憶媒体装着部に外部記憶媒体が装着された場合の表示部１の表示状態を図１に示す。
【００２８】
また、画像表示部１ａは、外部記憶媒体が選択されるまでは非表示にするか、あるいは、外部記憶媒体を選択指示するメッセージを表示することが望ましい。また、３ａ，３ｂ，３ｃに装着される各記憶媒体の優先順位を設け、使用する外部記憶媒体が選択されていない場合は定義した優先順位の上位の外部記憶媒体の情報を表示することも考えられる。
【００２９】
ユーザは表示部１に表示された外部媒体記憶装着状況情報から、印刷するための画像が格納された記憶媒体を選択し、外部記憶媒体選択スイッチ等の操作部（不図示）を用いて、使用する外部記憶媒体を選択する。（１０４）
使用する外部記憶媒体が選択されたら、１ｂ，１ｃ，１ｄのうち選択された記憶媒体に対応する記憶媒体の通称表示の色を変えて、画像表示部１ａに表示される画像がどの記憶媒体の記憶されているデータなのかを表示する。（１０５）
このとき。３ａ，３ｂに外部記憶媒体が装着された状態で、使用する外部記憶媒体として３ａに装着された外部記憶媒体が選択された場合の表示例が図３となる。
【００３０】
記憶媒体が選択されると、選択した外部記憶媒体にアクセスするが、このとき、外部記憶媒体へのアクセス状況を表示する。１ｂ，１ｃ，１ｄのうちアクセス中の記憶媒体に対応する記憶媒体の通称表示の背景色を変えて、外部記憶媒体内の画像を情報を取得するために外部記憶媒体にアクセス中であることを表示しユーザに認知させる。（１０６）
３ａ，３ｂに外部記憶媒体が装着された状態で３ａに装着された外部記憶媒体が使用する記憶媒体として選択され、データ取得のため３ａに装着された外部記憶媒体にアクセスしている時の表示の例が図４となる。
【００３１】
また、実際にアクセス行為を行う前にデータアクセス中であることを表示することによりアクセス中に外部記憶媒体を脱着し外部記憶媒体体内のデータを破壊してしまう危険性を回避する効果も併せ持つ。
【００３２】
制御部は画像表示部１ａに表示する画像データを取得し（１０７）、取得したデータから画像を復元し表示する。（１０８）
データアクセスと画像表示が終了した後、アクセス中に背景色を変えて表示していた記憶媒体の通称の背景色を元に戻して表示し、アクセスが終了したことを認識させる。（１０９）
この際の表示は図３に示す例となる。また、表示前にアクセス自体は終了してしまうシステム構成の場合は、アクセス状況表示終了した後に画像表示を行ってもよい。しかし、予期せぬ外部記憶媒体脱着の防止と表示上のタイミングを合わせるためにデータアクセス終了は実際の画像表示が終了した後に行われることが望ましい。
【００３３】
不図示の選択スイッチ等により、再び外部記憶媒体の選択が行われた場合は、１０４からの処理を繰り返し行う。また、画像の選択等により同じ外部記憶媒体に再びアクセスする場合は、１０５からの処理を繰り返し行う。
【００３４】
上述の実施例では、外部記憶媒体装着部３ａ，３ｂ，３ｃごとに装着可能な外部記憶媒体の種類が予め決まっていた。しかし、１０２で外部記憶媒体の装着状況を判定するとともに装着された外部記憶媒体の種類も判定し、判定した結果に応じて、外部記憶媒体の種類の略称，通称や外部記憶媒体の種類を示すアイコン等を１ｂ，１ｃ，１ｄに表示させるようにしてもよい。
【００３５】
（実施例２）
実施例１では装着されていない外部記憶媒体情報を非表示としたが、３ａ，３ｂ，３ｃの外部記憶媒体の装着部は常に表示する。装着状態かつデータ参照対象外部記憶媒体と装着状態かつ表示データ非参照記憶媒体および非装着状態外部記憶媒体装着機構を各々の外部記憶媒体の通称の表現色を明示的に変更することにより同様の効果を得ることも可能である。
【００３６】
（実施例３）
外部記憶媒体に記憶されている画像を印刷部（不図示）により印刷する場合、印刷対象の画像が記憶されている外部記憶媒体を着脱すると印刷が不可能になってしまう。印刷画像が記憶されている外部記憶媒体と画像表示部１ａに表示されている画像が記憶されている外部記憶媒体とは異なる場合、印刷に使用する記憶媒体へのアクセスが行われているときは、印刷に使用する記憶媒体の通称の背景色を変えてアクセス状況を表示する。印刷のためにアクセスしている記憶媒体を認識することができるので、間違って印刷画像が記憶されている外部記憶媒体が着脱されてしまうのを防ぐことができる。
【００３７】
（実施例４）
上記実施例では、装着されているか装着されていないかで外部記憶媒体の情報を区別して表示した。また、現在、外部記憶媒体にアクセス中かどうかで外部記憶媒体情報を区別して表示した。
【００３８】
本実施の形態では、画像ファイルを印刷するための印刷制御情報が外部記憶媒体に記録され、外部記憶媒体内の画像ファイルが印刷指定されているか否かで、外部記憶媒体情報を区別して表示する。
【００３９】
例えば、ＤＰＯＦ（登録商標）のような画像の印刷を指定するための印刷制御情報が外部記憶媒体に記憶されている場合には、印刷制御情報が記録されていない通常の外部記憶媒体情報とは区別して表示させる。例えば、外部記憶媒体情報の背景色を変更して表示したり、点滅させて表示する。または、外部記憶媒体情報に印刷制御情報が記録されていることを示すマーク、符号などを図１０のように付加して表示させてもよい。
【００４０】
そして、印刷装置は、印刷制御情報に基づいて印刷指定されている画像の印刷が終わったら、外部記憶媒体情報の表示を通常の状態に戻して表示させる。
【００４１】
このような構成を取ることで、複数の外部記憶媒体について、外部記憶媒体内に印刷指定されている画像があるかを簡単にユーザに認識させることができる。
【００４２】
また、印刷が終了すると、印刷制御情報が記録されていない場合と同様に通常の表示状態に戻すので、複数の外部記憶媒体ごとに印刷制御情報に基づいた印刷を行ったかを一目で確認できる。そのため、間違えて同じ印刷制御情報に基づいて、再度印刷を行ってしまうことを防ぐことができる。
【図面の簡単な説明】
【００４３】
【図１】表示部１への表示の一例
【図２】印刷装置の概観図
【図３】表示部１への表示の一例
【図４】表示部１への表示の一例
【図５】表示部１への表示の一例
【図６】印刷装置１のシステム構成図
【図７】表示制御の基本シーケンス
【図８】印刷装置の概観図
【図９】表示部１への表示の一例
【図１０】表示部１への表示の一例
【符号の説明】
【００４４】
１  表示部
２  印刷装置本体
３ａ  外部記憶媒体装着部１
３ｂ  外部記憶媒体装着部２
３ｃ  外部記憶媒体装着部３
４  制御部
４ａ  外部記憶媒体制御部
４ｂ  表示制御部
【図１】
2007276398.tif 000003
【図２】
2007276398.tif 000004
【図３】
2007276398.tif 000005
【図４】
2007276398.tif 000006
【図５】
2007276398.tif 000007
【図６】
2007276398.tif 000008
【図７】
2007276398.tif 000009
【図８】
2007276398.tif 000010
【図９】
2007276398.tif 000011
【図１０】
2007276398.tif 000012